(57)【要約】【課題】アイキャッチ効果あるいはユニバーサルデザインの観点で優れた新規な飲料商品見本を提供する。【解決手段】一体成形型の飲料商品見本１は、飲料自動販売機によって販売される飲料の飲料容器を模した外観を有する胴部２と、胴部２に一体形成された突出部３とを有する。胴部２は、幅方向が長辺となり、奥行き方向が短辺となる半楕円扁平状の断面を有する。突出部３は、胴部２の湾曲した前面に沿って前方に突出するように一体形成されているとともに、この部位に付された表示に応じた立体形状を有する。胴部２の幅は、飲料容器の幅と略同一である。突出部３の前面から胴部の背面に至るまでの奥行きは、飲料自動販売機の陳列空間の奥行きよりも短く抑えられている。突出部３には、飲料が注がれた状態のカップの表示が付されており、飲料の液色がカラーで表示されている。【選択図】図３
2010198560.tif 000002
【特許請求の範囲】
【請求項１】
飲料自動販売機に陳列される一体成形型の飲料商品見本において、
前記飲料自動販売機によって販売される飲料の飲料容器を模した外観を有するとともに、幅方向が長辺となり、奥行き方向が短辺となる半楕円偏平状の断面を有する胴部と、
前記胴部の湾曲した前面に沿って前方に突出するように、前記胴部に一体的に形成されているとともに、当該部位に付された表示に応じた立体形状を有する突出部とを有し、
前記胴部の幅は、前記飲料容器の幅と略同一であり、
前記突出部の前面から前記胴部の背面に至るまでの奥行きは、前記飲料自動販売機における飲料商品見本の陳列空間の奥行きよりも短く抑えられていることを特徴とする飲料商品見本。
【請求項２】
飲料自動販売機に陳列される一体成形型の飲料商品見本において、
前記飲料自動販売機によって販売される飲料の飲料容器を模した外観を有するとともに、幅方向が長辺となり、奥行き方向が短辺となる半楕円扁平状の断面を有する胴部と、
前記胴部の湾曲した前面に沿って前方に突出するように、前記胴部に一体的に形成されているとともに、当該部位に付された表示に応じた立体形状を有する突出部とを有し、
前記胴部の幅は、前記飲料容器の幅と略同一であり、
前記突出部の前面から前記胴部の背面に至るまでの奥行きは、前記飲料自動販売機における飲料商品見本の陳列空間の奥行きよりも短く抑えられ、
前記突出部には、前記飲料が注がれた状態のカップの表示が付されており、前記飲料の液色がカラーで表示されていることを特徴とする飲料商品見本。
【請求項３】
前記飲料の液色には、印刷色に濃淡を付けることによって、透明度の違いによる色模様が形成されていることを特徴とする請求項２に記載された飲料商品見本。
【請求項４】
前記突出部には、前記胴部の背面より入射して前面に透過する光を屈折させる凹凸が設けられていることを特徴とする請求項２または３に記載された飲料商品見本。
【請求項５】
前記突出部は、前記胴部の下方に設けられており、
前記胴部の底部には、前方に向かって突出し、幅方向に延在するリブが、前記突出部と連続するように一体的に形成されていることを特徴とする請求項１から４のいずれかに記載された飲料商品見本。
【請求項６】
請求項１から５のいずれかに記載された前記飲料商品見本が陳列空間内に取り付けられていることを特徴とする飲料自動販売機。
【請求項７】
請求項５に記載された前記飲料商品見本を陳列可能な陳列空間と、
前記陳列空間内に設けられ、前記飲料商品見本を係止する係止手段とを有し、
前記飲料商品見本は、前記係止手段によって前記リブで挟持することで、前記陳列空間内に取り付けられていることを特徴とする飲料自動販売機。
【発明の詳細な説明】
【技術分野】
【０００１】
本発明は、飲料自動販売機に陳列される一体成形型の飲料商品見本およびその自動販売機に関する。
【背景技術】
【０００２】
従来より、飲料自動販売機に陳列するための商品見本として、商品である飲料の飲料容器の外観を模した一体成形されたものが知られている。例えば、特許文献１に開示された一体型見本表示体では、背景となる略矩形状の平面部（見本体）と、この平面部より前方に突出し、飲料容器と類似した半割り型の胴部（見本部）とを一体的に膨出成形した構成になっている。また、この引用文献１には、突出した胴部ではなくその周囲の平面部に、商品に関連する意匠を立体的に形成する点も開示されている。具体的には、販売する商品としてお茶を例とし、茶葉や茶畑等の意匠を平面部に立体形成するといった如くである。
【先行技術文献】
【特許文献】
【０００３】
【特許文献１】特開２００７−７９６８８号公報
【発明の概要】
【発明が解決しようとする課題】
【０００４】
しかしながら、立体的な意匠を引用文献１のように平面的な周囲の部位に付加するのではなく、飲料容器を模した曲面状の胴部そのものに付加できれば、より高いアイキャッチ効果が期待できる。また、漢字の読めない子供や外国人旅行者などは、商品見本に”茶”や”珈琲”といった文字が表示されていても、販売されている飲料の種別を認識することができない。文字ではなく、飲料の中味を直接的に想起させるような表示がなされていれば、万人が飲料の種別を認識できるので、ユニバーサルデザインの観点からも好ましい。
【０００５】
本発明は、かかる事情に鑑みてなされたものであり、その目的は、アイキャッチ効果に優れた新規な飲料商品見本を提供することである。
【０００６】
また、本発明の別の目的は、ユニバーサルデザインの観点より優れた新規な飲料商品見本を提供することである。
【課題を解決するための手段】
【０００７】
かかる課題を解決すべく、第１の発明は、飲料自動販売機に陳列される一体成形型の飲料商品見本を提供する。この飲料商品見本は、飲料自動販売機によって販売される飲料の飲料容器を模した外観を有する胴部と、胴部に一体形成された突出部とを有する。胴部は、幅方向が長辺となり、奥行き方向が短辺となる半楕円扁平状の断面を有する。突出部は、胴部の湾曲した前面に沿って前方に突出するように、胴部に一体的に形成されているとともに、この部位に付された表示に応じた立体形状を有する。ここで、胴部の幅は、飲料容器の幅と略同一である。また、突出部の前面から胴部の背面に至るまでの奥行きは、飲料自動販売機における飲料商品見本の陳列空間の奥行きよりも短く抑えられている。
【０００８】
第２の発明は、飲料自動販売機に陳列される一体成形型の飲料商品見本を提供する。この飲料商品見本は、飲料自動販売機によって販売される飲料の飲料容器を模した外観を有する胴部と、胴部に一体形成された突出部とを有する。胴部は、幅方向が長辺となり、奥行き方向が短辺となる半楕円扁平状の断面を有する。突出部は、胴部の湾曲した前面に沿って前方に突出するように、胴部に一体的に形成されているとともに、この部位に付された表示に応じた立体形状を有する。ここで、胴部の幅は、飲料容器の幅と略同一である。また、突出部の前面から胴部の背面に至るまでの奥行きは、飲料自動販売機における飲料商品見本の陳列空間の奥行きよりも短く抑えられている。さらに、突出部には、飲料が注がれた状態のカップの表示が付されており、飲料の液色がカラーで表示されている。
【０００９】
ここで、第２の発明において、飲料の液色には、印刷色に濃淡を付けることによって、透明度の違いによる色模様が形成されていてもよい。また、突出部には、胴部の背面より入射して前面に透過する光を屈折させる凹凸が設けられていてもよい。
【００１０】
第１または第２の発明において、突出部は、胴部の下方に設けられており、突出部と連続するようにリブを胴部の底部に一体的に形成してもよい。このリブは、前方に向かって突出し、幅方向に延在している。
【００１１】
第３の発明は、上述した第１または第２の発明に係る飲料商品見本が陳列空間内に取り付けられた飲料自動販売機を提供する。
【００１２】
第４の発明は、上述した第２の発明のうち、特に、胴部の底部に上記リブが設けられている飲料商品見本を陳列する飲料自動販売機を提供する。この飲料自動販売機は、リブを有する飲料商品見本を陳列可能な陳列空間と、陳列空間内に設けられ、飲料商品見本を係止する係止手段とを有し、飲料商品見本は、係止手段によってリブを挟持することで、陳列空間内に取り付けられている。
【発明の効果】
【００１３】
第１の発明によれば、胴部の前面に突出部を設け、この突出部に付された表示に応じた立体形状にする。これにより、既存の商品見本にはない目新しさを演出でき、アイキャッチ効果の向上を図ることができる。その際、胴部の断面を半楕円扁平状にすることで、胴部の前面に突出部を設けても、商品見本の全体的な奥行きを有効に抑制することができる。したがって、既存の商品見本とのサイズ的な互換性を損なうことなく、汎用性に優れた斬新な商品見本を実現することができる。また、半円状の断面を有する既存の商品見本と比較して、胴部の左右の側端近傍に表示されたキャッチコピー等の文字が読み易くなるという効果もある。
【００１４】
第２の発明によれば、第１の発明と同様の理由で、既存の商品見本とのサイズ的な互換性を損なうことなく、汎用性に優れた斬新な商品見本を実現することができるほか、胴部の側端近傍に表示された文字の視認性の向上を図ることができる。また、飲料が注がれた状態のカップの表示とともに、飲料（中味）の液色がカラーで表示されているので、文字に依存することなく、直感的に飲料の種別を認識することができる。したがって、万人が飲料の種別を認識でき、ユニバーサルデザインの観点からも優れている。
【００１５】
第３または第４の発明によれば、第１または第２の発明と同様の理由で、アイキャッチ効果あるいはユニバーサルデザインの観点で優れた自動販売機を実現することができる。
【図面の簡単な説明】
【００１６】
【図１】飲料自動販売機の前面図である。
【図２】飲料商品見本の前面図である。
【図３】飲料商品見本の斜視図である。
【図４】飲料商品見本に対する光の反射を示す図である。
【図５】陳列空間内における飲料商品見本の断面の模式図である。
【図６】飲料商品見本に対する光の透過を示す図である。
【発明を実施するための形態】
【００１７】
図１は、飲料自動販売機の前面図である。この飲料自動販売機１０（以下、適宜「自動販売機１０」という）には、飲料商品見本１（以下、適宜「商品見本１」という）を陳列可能な陳列空間１１が設けられており、この陳列空間１１内に、お茶、コーヒー、ジュースといった各種の商品見本１が取り付けられている。これらの商品見本１は、陳列空間１１の奥に配置された蛍光灯１２（図６参照）によって照射され、この照射光が商品見本１を透過する。商品見本１は、ペットボトルや缶といった飲料容器の外観を模した形状を有する。商品見本１は、係止手段によって陳列空間１１内に固定されるが、その手法には様々なものがある。例えば、（１）商品見本１の底部をクリップで挟持する手法、（２）商品見本１の側面または底部に設けられた係止片によって固定する手法といった如くである。本実施形態では、一例として上記（１）の手法を採用しており、商品見本１の底部に設けられたリブ（詳細については後述する）をクリップで挟持することによって、商品見本１が起立した状態で固定する。自動販売機１０の利用者は、陳列空間１１内に陳列された商品見本１を見た上で所定の操作を行うことによって、所望の商品を購入する。
【００１８】
図２は、本実施形態に係る一体成形型の飲料商品見本１の前面図であり、図３はその斜視図である。この商品見本１は、例えば、ポリアセタール、ポリプロピレン、ポリエチレン、ポリエステル、ポリカーボネート、アクリルといった合成樹脂を用いて成形したものである。一体成形された商品見本１は、胴部２と、突出部３と、リブ４と、平面部５と、補強部６とを有する。胴部２は、飲料容器の一例として、５００ｍｌタイプのペットボトルを模した外観を有するとともに、半楕円扁平状、すなわち、楕円を略半分を切り欠いた扁平形状の断面（水平方向の横断面）を有する。ここで、胴部２の幅方向（同図の左右方向）が楕円の長辺、その奥行き方向（同図の紙面表裏方向）が楕円の短辺にそれぞれ対応するが、半楕円は、長辺に沿って半割りした切断形状になっている。そして、実際の飲料容器と同様、胴部２の所定の部位には、商品名やキャッチコピー等の表示が付されている。胴部２の背面（逆Ｕ字状の先端部分によって規定）は平坦になっているが、その下部に関しては、陳列空間１１の側面形状を考慮して斜め前方に傾斜している。
【００１９】
胴部２の前面下方には、突出部３が一体的に形成されている。この突出部３は、胴部２の湾曲した前面に沿って前方に突出しており、この部位に付されている表示に応じた立体形状を有する。突出部３を下方に設けることで、商品名やキャッチコピー等の表示が遮られ難くなる。突出部３は、実際の飲料商品には存在しない商品見本１だけに設けられている。飲料容器を模した胴部２に敢えてこのような立体形状を施すことによって、既存品にはない斬新さを演出することができ、アイキャッチ効果を著しく高めることができる。また、本実施形態では、飲料が注がれた氷入りの透明なカップの表示が突出部３に付されており、突出部３の立体形状もこれに応じたものになっている。すなわち、カップの側面が描かれている部位は、外側に向かって曲面状に隆起しているとともに、カップの上縁が描かれている部位は、内側に折れ曲がっている。そして、カップ内の氷が描かれている部位には、氷の表面の凹凸に対応して、比較的細かな凹凸、すなわち、比較的急峻な屈曲が形成されている。カップに注がれている飲料が描かれている部分、すなわち、カップ内の飲料の表面および透明なガラスカップの側面に関しては、飲料の液色がカラーで表示されている。当然ながら、飲料の液色は、緑茶ならば淡緑色、ほうじ茶ならば明茶色、コーヒーならば暗茶色といったように、飲料の種類に応じた色味になっている。飲料の液色（中味）のカラー表示は、万人が視覚により飲料の種別を直感的に認識できるので、ユニバーサルデザインの観点からも優れている。さらに、本実施形態では、飲料の液色表現として、印刷色に濃淡を付けることによって、透明度の違いによる色模様が付されている。なお、図４に示すように、太陽が上方から照り続けると表示物の退色が生じ易いが、本実施形態では、その対策として、液色を見せる部位を下側とし、上側には白い氷等を表示している。自動販売機１０の利用者は、商品見本１を下方の視点Ｍから見上げる形になるので、上側が退色しても支障が生じ難い。
【００２０】
胴部２の底部には、突出部３と連続するようにリブ４が一体的に形成されている。このリブ４は、前方に向かって突出し、幅方向に延在している。また、リブ４の下面は、自動販売機１０側の係止手段によって固定された際の起立性や安定性を考慮して、平面状に形成されている。リブ４には、商品見本１のデザイン性を高めるために、カップを受ける受け皿の表示が付されている（ただし、この表示は必須ではない）。リブ４は、自動販売機１０側に取り付ける際の固定部としての役割のほか、比較的に肉薄な商品見本１を補強する役割も担っている。特に、突出部３は成形時に肉薄になり易いので、リブ４による補強は有効である。
【００２１】
平面部５は、胴部２の背面と面一に設けられており、胴部２の首部、その蓋部および上部の補強部６と繋がっている。補強部６は、特に幅方向に対して商品見本１を補強するために設けられているが、その必要がない場合には省略してもよい。また、補強部６の前面に、商品名やキャッチコピー等の表示を付してもよい。
【００２２】
図５は、自動販売機１０の陳列空間１１内に取り付けられた状態における飲料商品見本１の断面の模式図である。上述したように、胴部２は、楕円の長辺に沿って切断した半楕円扁平形状を有する。胴部２をこのような形状にすることによって、３つのメリットが生じる。第１のメリットは、胴部２の奥行きＤａが短くても、飲料容器Ａの幅Ｗ２と略同一の幅Ｗ１を確保できるという点である。扁平形状にしない場合には、胴部２の奥行きとして、少なくとも飲料容器Ａの半径以上の長さが必要となる。これに対して、扁平形状にした場合には、半円を奥行き方向に押し潰したような形状（それゆえに楕円状になる）になるので、この半径よりも短い長さで幅Ｗ２を得ることができる。第２のメリットは、胴部２の周囲に突出部３を設けた場合であっても、商品見本１全体としての奥行きＤ１が有効に抑制されるので、既存の商品見本や既存の自動販売機との互換性を維持できるという点である。図示したように、突出部３の前面から胴部２の背面に至るまでの奥行きＤ１、すなわち、胴部２の奥行きＤａと突出部３の奥行きＤｂとの和（Ｄａ＋Ｄｂ）は、陳列空間１１の奥行きＤ２よりも短く抑えられている。突出部３の突出高（すなわち奥行きＤｂ）が大きい場合には、その分だけ胴部２をより扁平させればよい。特に、近年、設置スペースとの関係から薄型の自動販売機の設置台数が増大している事実に鑑みると、この第２のメリットは大きい。また、第３のメリットは、胴部２の左右の側端近傍に表示されたキャッチコピー等が読み易くなるという点である。例えば、半円状の断面を有する商品見本の場合、左右の側端に向かうほど正面方向に対する面の傾きが大きくなる。したがって、正面から見た場合、そこに付された文字を斜めに見る形になるので、縦長に見えてしまい読みづらい。これに対して、本実施形態のような扁平形状にした場合、半円状の場合と比較して、側端近傍における面の傾きを抑えることができるので、正面から見ても本来の表示に近い形で文字が見えて読み易くなる。
【００２３】
このように、本実施形態によれば、商品見本１の背景（平面部５等）ではなく、飲料容器を模した胴部２そのものに突出部３を設け、この部位に付された表示に応じた立体形状にする。これにより、既存の商品見本にはない目新しさを演出でき、アイキャッチ効果の向上を図ることができる。それとともに、表示に応じた立体形状にすることで、これを正面から見た場合のみならず斜めから見た場合であっても、アイキャッチ性が失われないという効果もある。
【００２４】
また、本実施形態によれば、胴部２の断面を半楕円扁平状にすることで、胴部２の前面に突出部３を設けても、商品見本１の全体的な奥行きを有効に抑制することができる。したがって、既存の商品見本との互換性を損なうことなく、汎用性に優れた斬新な商品見本１を実現することができる。特に、商品見本１を一体成形型とすることで、新たな部材を追加することなく立体的な突出部２を形成でき、商品見本１を比較的安価に実現することが可能になる。また、半円状の断面を有する既存の商品見本と比較して、胴部２の左右の側端近傍に表示されたキャッチコピー等の文字が読み易くなるという効果もある（側端視認性の向上）。さらに、突出部３は、自動販売機１０で商品見本１を交換する際の「取っ手」にもなり得るので、交換作業が容易になるほか、自動販売機１０に他社の商品見本（突起部３は存在しない）が混在している場合に、自他商品識別力の発揮も期待できる。
【００２５】
また、本実施形態によれば、カップに注がれている飲料の液色をカラー表示することで、文字に依存することなく、視覚に基づき飲料の種別を直感的に認識することができる。したがって、漢字の読めない子供や外国人旅行者等を含めて、万人が飲料の種別を認識でき、ユニバーサルデザインの観点からも優れている。
【００２６】
また、本実施形態によれば、図６に示すように、胴部２の背面より入射して前面に透過する蛍光灯１２からの光を屈折させる細かな凹凸（本実施形態では氷の凹凸に対応）を突出部３に設けることで、屈折率が高まり、その部位をキラキラと輝いてみせることができる。これにより、商品見本１のアイキャッチ効果を一層向上させることができる。それとともに、蛍光灯１２の光量を減少させることができるので、エネルギーの省力化にも寄与する。また、飲料の液色に濃淡を付けて模様を形成しておけば、蛍光灯１２の照射時に色味を鮮やかに見せることができる。
【００２７】
さらに、本実施形態に係る商品見本１を自動販売機１０の陳列空間１１内に取り付ければ、アイキャッチ効果やユニバーサルデザインの観点で優れた自動販売機１０を実現することができる。
【００２８】
なお、上述した実施形態では、ペットボトル型の商品見本１を例に説明したが、本発明はこれに限定されるものではなく、コーヒー等の缶を含めて各種タイプの飲料商品見本に適用することが可能である。
【００２９】
また、上述した実施形態では、突出部３に付される表示として、飲料が注がれたカップを例に説明した。飲料が注がれたカップは、本発明の適用に適した最も好ましい例であるが、本発明はこれに限定されるものではなく、例えば、キャッチコピー、キャラクター、ブランドロゴ、飲料の原材料に関するものであってもよい。
【産業上の利用可能性】
【００３０】
以上のように、本発明に係る飲料商品見本は、一体成形型の様々なタイプの飲料商品見本に対して広く適用できる。
【符号の説明】
【００３１】
１  飲料商品見本
２  胴部
３  突出部
４  リブ
５  平面部
６  補強部
１０  飲料自動販売機
１１  陳列空間
１２  蛍光灯
【図１】
2010198560.tif 000003
【図２】
2010198560.tif 000004
【図３】
2010198560.tif 000005
【図４】
2010198560.tif 000006
【図５】
2010198560.tif 000007
【図６】
2010198560.tif 000008